(57)【要約】【課題】  黒書き込みによる擬似インパルス駆動を行う際、各走査ライン間の表示輝度差が視認されない範囲で、確実に所望の画像表示を行うことができる液晶表示装置を提供する。【解決手段】  画像データの垂直／水平同期信号に基づいて、その画像データが書き込まれる走査ラインを検出し、各走査ラインの画像表示期間において液晶画素が画像データの定める透過率に到達するような強調変換データを求めて、液晶表示パネル７に供給するように構成し、同一階調の画像データに対して各走査ライン毎の表示輝度差が生じるのを防止する。【選択図】  図１
2005121802.tif 000002
【特許請求の範囲】
【請求項１】
複数の走査ラインと信号ラインとが交差する部分の液晶を順次走査によってオンされるスイッチング素子により駆動させる際、１フレーム期間に前記スイッチング素子のゲートを２回オンさせ、前記信号ラインからの画像データと黒データとを書き込む液晶表示装置であって、
連続する複数の前記走査ラインに対応する前記スイッチング素子を同時にオンさせて前記黒データを書き込むことにより黒表示させる表示制御手段と、
前記画像データの垂直／水平同期信号に基づいて、その画像データが書き込まれる走査ラインを検出するライン検出手段と、
前記ライン検出手段の検出結果に基づき、前記各走査ラインの画像表示期間において、液晶が前記画像データの定める透過率に到達するような強調変換データを求める強調変換手段とを備え、
前記各走査ラインにおける表示輝度を略同一とした
ことを特徴とする液晶表示装置。
【請求項２】
前記強調変換手段は、前記各走査ラインに書き込まれる画像データに対する強調変換データが格納された強調変換テーブルを有することを特徴とする請求項１に記載の液晶表示装置。
【請求項３】
装置内温度を検出する温度検出手段を備え、
前記強調変換手段は、前記温度検出手段による検出結果を基に、前記強調変換データを求める
ことを特徴とする請求項１に記載の液晶表示装置。
【請求項４】
前記強調変換手段は、前記各走査ラインに書き込まれる画像データに対する温度補償用の強調変換データが格納された温度補償テーブルを有することを特徴とする請求項３に記載の液晶表示装置。
【請求項５】
１フレーム前の画像データが格納されるフレーム格納手段と、
前記フレーム格納手段に格納されている１フレーム前の画像データを基に、各走査ラインの黒表示期間における到達階調レベルを予測し、その予測した到達階調レベルを前記強調変換手段に与える到達階調予測手段とを備え、
前記強調変換手段は、前記到達階調レベルを基に、現フレームの画像データに対する前記強調変換データを求める
ことを特徴とする請求項１乃至４のいずれかに記載の液晶表示装置。
【請求項６】
前記到達階調予測手段は、前記１フレーム前の画像データから、前記各走査ラインの黒表示期間における到達階調レベルを予測するための予測データが格納された到達階調予測テーブルを有することを特徴とする請求項５に記載の液晶表示装置。
【請求項７】
装置内温度を検出する温度検出手段を備え、
前記到達階調予測手段は、前記温度検出手段による検出結果と前記１フレーム前の画像データとを基に、前記各走査ラインの黒表示期間における到達階調レベルを予測し、
前記強調変換手段は、前記温度検出手段による検出結果と前記到達階調レベルとを基に、現フレームの画像データに対する前記強調変換データを求める
ことを特徴とする請求項５又は６に記載の液晶表示装置。
【請求項８】
前記到達階調予測手段は、前記温度検出手段による検出結果を基に、前記各走査ラインの黒表示期間における到達階調レベルを予測するための予測データが格納された到達階調予測テーブルを有し、
前記強調変換手段は、前記各走査ラインに書き込まれる画像データに対する温度補償用の強調変換データが格納された温度補償用の強調変換テーブルを有する
ことを特徴とする請求項７に記載の液晶表示装置。
【請求項９】
複数の走査ラインと信号ラインとが交差する部分の液晶を順次走査によってオンされるスイッチング素子により駆動させる際、１フレーム期間に前記スイッチング素子のゲートを２回オンさせ、前記信号ラインからの画像データと黒データとを書き込む液晶表示制御方法であって、
連続する複数の前記走査ラインに対応する前記スイッチング素子を同時にオンさせて前記黒データを書き込むことにより黒表示させる工程と、
前記画像データの垂直／水平同期信号に基づいて、その画像データが書き込まれる走査ラインを検出する工程と、
前記走査ラインの検出結果に基づき、前記各走査ラインの画像表示期間において、液晶が前記画像データの定める透過率に到達するような強調変換データを求める工程とを有し、
前記各走査ラインにおける表示輝度を略同一とした
ことを特徴とする液晶表示制御方法。
【請求項１０】
前記各走査ラインに書き込まれる画像データに対する強調変換データが格納された強調変換テーブルを参照する工程を有することを特徴とする請求項９に記載の液晶表示制御方法。
【請求項１１】
装置内温度を検出する工程と、
前記装置内温度の検出結果を基に、前記強調変換データを求める工程とを有する
ことを特徴とする請求項９に記載の液晶表示制御方法。
【請求項１２】
前記各走査ラインに書き込まれる画像データに対する温度補償用の強調変換データが格納された温度補償テーブルを参照する工程を有することを特徴とする請求項１１に記載の液晶表示制御方法。
【請求項１３】
１フレーム前の画像データが格納される工程と、
前記格納されている１フレーム前の画像データを基に、各走査ラインの黒表示期間における到達階調レベルを予測し、その予測した到達階調レベルを与える工程と、
前記到達階調レベルを基に、現フレームの画像データに対する前記強調変換データを求める工程とを有する
ことを特徴とする請求項９乃至１２のいずれかに記載の液晶表示制御方法。
【請求項１４】
前記１フレーム前の画像データから、前記各走査ラインの黒表示期間における到達階調レベルを予測するための予測データが格納された到達階調予測テーブルを参照する工程を有することを特徴とする請求項１３に記載の液晶表示制御方法。
【請求項１５】
装置内温度を検出する工程と、
前記装置内温度の検出結果と前記１フレーム前の画像データとを基に、前記各走査ラインの黒表示期間における到達階調レベルを予測する工程と、
前記装置内温度の検出結果と前記到達階調レベルとを基に、現フレームの画像データに対する前記強調変換データを求める工程とを有する
ことを特徴とする請求項１３又は１４に記載の液晶表示制御方法。
【請求項１６】
前記装置内温度の検出結果を基に、前記各走査ラインの黒表示期間における到達階調レベルを予測するための予測データが格納された到達階調予測テーブルを参照する工程と、
前記各走査ラインに書き込まれる画像データに対する温度補償用の強調変換データが格納された温度補償用の強調変換テーブルを参照する工程とを有する
ことを特徴とする請求項１５に記載の液晶表示制御方法。
【発明の詳細な説明】
【技術分野】
【０００１】
本発明は、液晶表示パネルを用いて画像を表示する液晶表示装置に係り、特に液晶表示パネルを用いて動画像を表示する際に生じる動きボケの改善に適した液晶表示装置に関するものである。
【背景技術】
【０００２】
近年、液晶表示装置（Liquid Crystal Display：以下、ＬＣＤという）は大型化、高精細化が進み、表示される画像もパーソナルコンピュータやワードプロセッサ等に用いられる液晶表示装置のように主として静止画像を扱うものから、ＴＶ等として用いられる液晶表示装置のように動画像を扱う分野にも普及しつつある。ＬＣＤは、陰極線管（Cathod Ray Tube：以下、ＣＲＴという）を備えるＴＶに比べて薄型であり、場所をさほど占有せずに設置することができるため、一般家庭へも普及しつつある。
【０００３】
ＬＣＤは、第１の基板に形成された複数の走査ラインと、第２の基板に形成された複数の信号ラインとが格子状に配置され、さらに第１及び第２の基板間に異方性誘電率を有する液晶が封入され、各走査ラインと信号ラインとが交差する部分に印加される画像データに応じた電界の強さを調節して第１及び第２の基板を透過する光の量を調節することにより所望の画像を表示させるものである。また、各走査ラインと各信号ラインとが交差する部分の液晶を駆動する場合、各走査ラインと各信号ラインとが交差する近傍に配置した非線形素子（スイッチング素子）であるＴＦＴ（Thin Film Transistor）によって行うことが主流となっている。
【０００４】
ところで、このようなＬＣＤは、ＣＲＴに比べ、上述したように薄型である等の利点を有するが、動画像の表示にあってはＣＲＴとは異なる画質劣化が見られる。すなわち、ＣＲＴは電子ビームが管面の蛍光体に当たった時点から数ミリ秒の間だけ光を発するいわゆるインパルス型であるのに対し、ＬＣＤは液晶画素へのデータの書き込みが終わった時点から次の書き込みに至るまで１フレーム期間（たとえば６０Ｈｚのプログレッシブスキャンの場合は１６．７ｍｓｅｃ）表示光を保持するいわゆるホールド型である。特に、ＴＦＴ−ＬＣＤの場合、液晶画素を構成するドット毎にＴＦＴスイッチが設けられており、さらに通常は各液晶画素毎に補助容量が設けられているので、蓄えられた電荷の保持能力がきわめて高い。
【０００５】
そのため、動画像を表示する場合、インパルス型であるＣＲＴは時間に対応した位置に画像が瞬間的に表示されるのに対し、ホールド型であるＬＣＤでは新たに書き込みを行う直前まで１フレーム前の画像が残ることになる。このように、１フレーム前の画像が残ることになると、視覚の時間積分効果等により、１フレーム前の画像と現在表示されている画像とが重なって見える。このような現象は、一般に動きボケと呼ばれており、動画像の表示における画質劣化を改善するために、その動きボケを低減させる必要がある。
【０００６】
このような動きボケを低減するものとして、図１５（ａ）に示すように、垂直ブランキング期間に黒表示になる所定電圧を液晶に印加することで、画像データに基づいた液晶画素への書き込み電圧をリセットする方法がある。つまり、１フレーム分の画像を表示した後に、全走査ラインに信号ラインを介し一括して同時に黒データを挿入することで、１フレーム分の画像を各走査ライン毎に順次表示した後、全走査ラインに対して同時に黒を表示するというものである。
【０００７】
しかしながら、このような方法で表示を行うと、１フレーム期間内における画像表示期間が走査ライン毎に異なるため、図１５（ｂ）に示すように、走査ライン毎に表示輝度差が生じるという問題がある。つまり、１フレーム分の画像を表示する場合、液晶表示パネルの上方から下方に向けて画像データの順次書き込み走査が行われるのに対し、黒を表示する際は画面全体に対して同時に一括して黒データの書き込みが行われることにより、１フレーム期間における液晶表示パネルの上側の走査ラインと下側の走査ラインとでは画像表示期間が異なってしまうためである。ちなみに、その画像表示期間は表示輝度に比例するものであり、画像表示期間が短いと表示輝度が低くなり、逆に画像表示期間が長いと表示輝度が高くなる。
【０００８】
このような液晶表示パネルの垂直方向位置により表示輝度差が生じるという問題を解消するものとして、特許文献１に示されているような各水平ラインの画像データ間に黒データを挿入する方法がある。これは、図１６（ａ）に示すように、１つの走査ラインを走査するのに必要な時間より短い時間内で画像データ用選択期間と黒表示用選択期間とを設定し、画像データ用選択期間において信号ラインからの画像データに応じた画像を表示し、黒表示用選択期間において信号ラインからの黒データに応じた黒表示をすることで、１フレーム期間において各走査ライン毎に画像データに基づいた液晶画素への書き込み電圧をリセットするようにしたものである。これによれば、走査ライン毎に順次黒データが挿入されるため、上述した全走査ラインに一括して同時に黒データを挿入する方法に比べ、液晶表示パネルの垂直方向位置での画像表示期間の差は等しくなるため、図１６（ｂ）に示すように、液晶表示パネルの場所によって生じていた表示輝度差が低減される。
【特許文献１】特開２００１−１６６２８０号公報
【発明の開示】
【発明が解決しようとする課題】
【０００９】
ところで、上述した特許文献１のように、単に走査ライン毎に順次黒データを書き込むようにすると、液晶表示パネルの垂直方向位置によって生じていた表示輝度差が低減されるものの、画像データ及び黒データを液晶に書き込む時間（電圧印加時間）の確保が不十分となり（約１／２に短縮される）、所望の画像を表示することができなくなるとともに、適切な黒表示もなされないという現象を招来してしまう。現在の一般的な液晶表示パネルにおいては、データ書き込み時間（電圧印加時間）として、約１０μｓｅｃ以上を確保することが必要である。
【００１０】
すなわち、所望の画像表示及び黒表示を適切に行わせるためには、液晶画素への画像データ及び黒データを書き込む時間（電圧印加時間＝ゲートパルス幅）を十分に確保する必要があり、このデータ書き込み時間（電圧印加時間＝ゲートパルス幅）を十分に確保するためには、連続する複数の走査ラインに同時に黒データを書き込む必要がある。
【００１１】
ここで、同時黒書き込みライン数（同時に黒データを書き込む走査ライン数）ｘ＝Ｎ／４とし（Ｎ＝液晶表示パネルの全走査ライン数）、黒表示期間（最大黒表示期間）を１フレーム期間の５０％の期間とした場合について考察する。図１７に示すように、最大画像表示期間を有する走査ライン＃１、＃Ｎ／４＋１、＃Ｎ／２＋１、＃３Ｎ／４＋１と、最小画像表示期間を有する走査ライン＃Ｎ／４、＃Ｎ／２、＃３Ｎ／４、＃Ｎとでは、画像データの書き込みタイミングが１／４フレーム期間も相違し（黒データの書き込みタイミングは同一）、黒データの書き込み時点における液晶画素の応答到達階調がそれぞれの走査ラインで異なることとなる。
【００１２】
すなわち、図１８に示すように、たとえば走査ライン＃１では黒書き込みタイミングにおいて画像データの定める目標透過率に液晶画素が応答到達していても、走査ライン＃Ｎ／４では黒書き込みタイミングにおいて画像データの定める目標透過率に液晶画素が未到達となる。このように、液晶画素が目標透過率に未到達となると、各液晶画素の表示輝度は液晶透過率の時間積分値で表わされるため、最大画像表示期間を有する走査ライン＃１、＃Ｎ／４＋１、＃Ｎ／２＋１、＃３Ｎ／４＋１と、最小画像表示期間を有する走査ライン＃Ｎ／４、＃Ｎ／２、＃３Ｎ／４、＃Ｎとでは、それぞれに書き込まれる画像データが同一階調であっても表示階調輝度に差が生じてしまい、図１９に示すように、表示画面の垂直方向位置によって不均一な輝度分布が出現し、これが視聴者に知覚されて、表示画像の品位を損なうという問題があった。
【００１３】
解決しようとする問題点は、画像データ及び黒データの液晶画素への書き込み時間（電圧印加時間）を十分に確保するために、複数の走査ラインに対して同時に黒データを書き込む場合、それぞれの走査ラインに書き込まれる画像データが同一であっても各走査ライン間で表示輝度に差が生じてしまう点である。
【課題を解決するための手段】
【００１４】
請求項１の液晶表示装置は、複数の走査ラインと信号ラインとが交差する部分の液晶を順次走査によってオンされるスイッチング素子により駆動させる際、１フレーム期間に前記スイッチング素子のゲートを２回オンさせ、前記信号ラインからの画像データと黒データとを書き込む液晶表示装置であって、連続する複数の前記走査ラインに対応する前記スイッチング素子を同時にオンさせて前記黒データを書き込むことにより黒表示させる表示制御手段と、前記画像データの垂直／水平同期信号に基づいて、その画像データが書き込まれる走査ラインを検出するライン検出手段と、前記ライン検出手段の検出結果に基づき、前記各走査ラインの画像表示期間において、液晶が前記画像データの定める透過率に到達するような強調変換データを求める強調変換手段とを備え、前記各走査ラインにおける表示輝度を略同一としたことを特徴とする。
請求項２の液晶表示装置は、前記強調変換手段は、前記各走査ラインに書き込まれる画像データに対する強調変換データが格納された強調変換テーブルを有することを特徴とする。
請求項３の液晶表示装置は、装置内温度を検出する温度検出手段を備え、前記強調変換手段は、前記温度検出手段による検出結果を基に、前記強調変換データを求めることを特徴とする。
請求項４の液晶表示装置は、前記強調変換手段は、前記各走査ラインに書き込まれる画像データに対する温度補償用の強調変換データが格納された温度補償テーブルを有することを特徴とする。
請求項５の液晶表示装置は、１フレーム前の画像データが格納されるフレーム格納手段と、前記フレーム格納手段に格納されている１フレーム前の画像データを基に、各走査ラインの黒表示期間における到達階調レベルを予測し、その予測した到達階調レベルを前記強調変換手段に与える到達階調予測手段とを備え、前記強調変換手段は、前記到達階調レベルを基に、現フレームの画像データに対する前記強調変換データを求めることを特徴とする。
請求項６の液晶表示装置は、前記到達階調予測手段は、前記１フレーム前の画像データから、前記各走査ラインの黒表示期間における到達階調レベルを予測するための予測データが格納された到達階調予測テーブルを有することを特徴とする。
請求項７の液晶表示装置は、装置内温度を検出する温度検出手段を備え、前記到達階調予測手段は、前記温度検出手段による検出結果と前記１フレーム前の画像データとを基に、前記各走査ラインの黒表示期間における到達階調レベルを予測し、前記強調変換手段は、前記温度検出手段による検出結果と前記到達階調レベルとを基に、現フレームの画像データに対する前記強調変換データを求めることを特徴とする。
請求項８の液晶表示装置は、前記到達階調予測手段は、前記温度検出手段による検出結果を基に、前記各走査ラインの黒表示期間における到達階調レベルを予測するための予測データが格納された到達階調予測テーブルを有し、前記強調変換手段は、前記各走査ラインに書き込まれる画像データに対する温度補償用の強調変換データが格納された温度補償用の強調変換テーブルを有することを特徴とする。
請求項９の液晶表示制御方法は、複数の走査ラインと信号ラインとが交差する部分の液晶を順次走査によってオンされるスイッチング素子により駆動させる際、１フレーム期間に前記スイッチング素子のゲートを２回オンさせ、前記信号ラインからの画像データと黒データとを書き込む液晶表示制御方法であって、連続する複数の前記走査ラインに対応する前記スイッチング素子を同時にオンさせて前記黒データを書き込むことにより黒表示させる工程と、前記画像データの垂直／水平同期信号に基づいて、その画像データが書き込まれる走査ラインを検出する工程と、前記走査ラインの検出結果に基づき、前記各走査ラインの画像表示期間において、液晶が前記画像データの定める透過率に到達するような強調変換データを求める工程とを有し、前記各走査ラインにおける表示輝度を略同一としたことを特徴とする。
請求項１０の液晶表示制御方法は、前記各走査ラインに書き込まれる画像データに対する強調変換データが格納された強調変換テーブルを参照する工程を有することを特徴とする。
請求項１１の液晶表示制御方法は、装置内温度を検出する工程と、前記装置内温度の検出結果を基に、前記強調変換データを求める工程とを有することを特徴とする。
請求項１２の液晶表示制御方法は、前記各走査ラインに書き込まれる画像データに対する温度補償用の強調変換データが格納された温度補償テーブルを参照する工程を有することを特徴とする。
請求項１３の液晶表示制御方法は、１フレーム前の画像データが格納される工程と、前記格納されている１フレーム前の画像データを基に、各走査ラインの黒表示期間における到達階調レベルを予測し、その予測した到達階調レベルを与える工程と、前記到達階調レベルを基に、現フレームの画像データに対する前記強調変換データを求める工程とを有することを特徴とする。
請求項１４の液晶表示制御方法は、前記１フレーム前の画像データから、前記各走査ラインの黒表示期間における到達階調レベルを予測するための予測データが格納された到達階調予測テーブルを参照する工程を有することを特徴とする。
請求項１５の液晶表示制御方法は、装置内温度を検出する工程と、前記装置内温度の検出結果と前記１フレーム前の画像データとを基に、前記各走査ラインの黒表示期間における到達階調レベルを予測する工程と、前記装置内温度の検出結果と前記到達階調レベルとを基に、現フレームの画像データに対する前記強調変換データを求める工程とを有することを特徴とする。
請求項１６の液晶表示制御方法は、前記装置内温度の検出結果を基に、前記各走査ラインの黒表示期間における到達階調レベルを予測するための予測データが格納された到達階調予測テーブルを参照する工程と、前記各走査ラインに書き込まれる画像データに対する温度補償用の強調変換データが格納された温度補償用の強調変換テーブルを参照する工程とを有することを特徴とする。
本発明の液晶表示装置は、ライン検出手段により画像データの垂直／水平同期信号に基づいて、その画像データが書き込まれる走査ラインを検出し、強調変換手段によりライン検出手段の検出結果に基づき、各走査ラインの画像表示期間において、液晶が画像データの定める透過率に到達するような強調変換データを求めることで、各走査ラインにおける表示輝度を略同一とすることができる。
【発明の効果】
【００１５】
本発明の液晶表示装置は、液晶画素へのデータ書き込み時間（電圧印加時間）を十分に確保するために、複数の走査ラインに対して同時に黒データを書き込む場合、それぞれの走査ライン（表示ライン）間において、同一階調の画像データに対する表示階調輝度が略同一（輝度比が４％以下の範囲）となるように、入力画像データを強調変換して、液晶表示パネルへ供給するようにしたので、輝度ムラのない高画質の動画像表示を実現することができる。
【発明を実施するための最良の形態】
【００１６】
本発明の液晶表示装置においては、１フレーム期間（たとえば６０Ｈｚのプログレッシブスキャンの場合は１６．７ｍｓｅｃ）において、画像データ及び黒データの液晶画素への書き込み時間（電圧印加時間）を十分に確保するために、液晶表示パネルの１走査ライン毎に順次画像データを書き込むとともに、連続する複数の走査ラインへ同時に黒データを書き込むことになるが、その際、各走査ラインにおける画像表示期間が異なるので、それぞれの画像表示期間に対応して、各走査ラインに書き込む画像データに対し適切な強調変換を施すことで、各走査ライン（表示ライン）間において、同一階調の画像データに対する表示階調輝度（液晶透過率の時間積分値）が略同一（輝度比が４％以下の範囲）となるようにする。
【００１７】
（実施形態１）
図１は本発明の液晶表示装置の実施形態１を説明するための図、図２及び図３は図１の液晶表示装置における画像データ及び黒データの書き込みタイミングを示すタイミングチャート、図４は図１の強調変換テーブル（ＲＯＭ）を単一としその強調変換テーブル（ＲＯＭ）を参照して得られる補正電圧データから各走査ライン毎の補正電圧データを求める場合を説明するための図、図５は図１の強調変換部による強調変換データによる液晶画素の応答波形を説明するための図、図６〜図８は図１の強調変換部による強調変換により各走査ライン（表示ライン）において同一階調の画像データに対する表示階調輝度が略同一（輝度比が４％以下の範囲）とされることを説明するための図である。なお、以下の説明において、走査ラインＧ１〜ＧＮ、走査ライン＃１〜＃Ｎ等とした用語を用いているが、走査ライン＃１〜＃Ｎは走査ラインＧ１〜ＧＮに相当するものであり、説明の内容に応じてそれぞれ使い分けするものとする。また、ここでは走査ラインが表示ラインに相当するものとして、以下説明する。
【００１８】
図１に示す液晶表示装置は、１フレーム期間（たとえば６０Ｈｚのプログレッシブスキャンの場合は１６．７ｍｓｅｃ）内の画像データ書き込みタイミングからたとえば１／２フレーム期間（＝８．３ｍｓｅｃ）後に、予め決められた所定数の走査ラインを同時に選択して黒データを書き込むという一連の動作を、１フレーム周期で行う。なお、以下の説明において、データ書き込み時間（電圧印加時間＝ゲートパルス幅）を十分に確保するために、同時に黒データを書き込むべき走査ラインの本数ｘを、同時黒書き込みライン数という。この同時黒書き込みライン数ｘは、液晶表示パネルの全走査ライン数Ｎ以下であって２以上の範囲で、任意に設定することができる。
【００１９】
図２は、たとえば同時黒書き込みライン数ｘ＝４とした場合のゲートドライバ出力を示している。また、走査ラインＧ１〜ＧＮの内、たとえば走査ラインＧ１〜Ｇ４での画像表示期間はそれぞれＴ１〜Ｔ４（Ｔ１＞Ｔ２＞Ｔ３＞Ｔ４）となっている。また、たとえば走査ラインＧ１〜Ｇ４での黒表示期間は、それぞれＢ１〜Ｂ４（Ｂ１＜Ｂ２＜Ｂ３＜Ｂ４）となっている。ここで、それぞれの画像表示期間Ｔ１〜Ｔ４は、上述したように表示輝度に比例するため、走査ラインＧ１〜Ｇ４間で表示輝度差を生じてしまうことになる。
【００２０】
すなわち、図３に示すように、画像データを１走査ライン毎に順次書き込みするとともに、黒データを複数の走査ライン毎に同時書き込みした場合、最大画像表示期間を有する走査ラインと最小画像表示期間を有する走査ラインとが隣接して存在することとなる。また、表示輝度は各走査ラインにおける画像表示期間に比例するため、最大画像表示期間を有する走査ラインと最小画像表示期間を有する走査ラインとでそれぞれの表示輝度が異なることが分かる。
【００２１】
ここで、本出願人が最大画像表示期間を有する走査ラインと最小画像表示期間を有する走査ラインとが隣接する領域の表示輝度差の識別限界に関する実験を行った結果、たとえば表示輝度が４００ｃｄ／ｍ２ における識別限界の輝度比は３．５％であった。識別限界とは、表示輝度差が視聴者に識別されない限界域であるが、様々な環境条件のもとで実際の表示においては、輝度比が最大４％以下であれば視聴者に識別されないことが実験の結果、分かった。
【００２２】
そこで、本実施形態では、データ書き込みに必要な期間を考慮して、同時黒書き込みライン数ｘを設定するとともに、各走査ラインＧｎ〜Ｇｎ＋（ｘ−１）（ただし、ｎ＝1、ｘ+１、２ｘ＋１、３ｘ＋１、・・・）の画像表示期間において、液晶画素が入力画像データの定める透過率となるように、各走査ラインに書き込まれる画像データのそれぞれに対し、適切な強調変換を施して液晶表示パネル７へ供給し、各走査ライン毎に表示輝度差が生じるのを防止するようにしている。これにより、各走査ライン（表示ライン）間において、同一階調の画像データに対する表示階調輝度（液晶透過率の時間積分値）が略同一（輝度比が４％以下）とされる。強調変換の詳細については、後述する。
【００２３】
また、図１に示す液晶表示装置は、ライン検出部１、制御ＣＰＵ２、強調変換部３、強調変換テーブル（ＲＯＭ）４ａ〜４ｄ、黒データ供給部５、液晶コントローラ６、液晶表示パネル７を備えている。ライン検出手段としてのライン検出部１は、画像データ（ここでは、たとえば６０Ｈｚのプログレッシブデータ）の垂直／水平同期信号に基づいて、その画像データが書き込まれる走査ラインを検出する。制御ＣＰＵ２は、ライン検出部１からの検出結果に応じて、強調変換部３による強調変換を制御したり、黒データ供給部５による黒データ供給を制御したり、液晶コントローラ６による液晶表示パネル７の駆動を制御したりする。
【００２４】
強調変換手段としての強調変換部３は、ライン検出部１の検出結果に応じて切換選択された強調変換テーブル（ＲＯＭ）４ａ〜４ｄのいずれかを参照し、各走査ラインの画像表示期間において液晶画素が入力画像データの定める透過率となるような補正電圧データ（強調変換データ）を読み出し、これを液晶コントローラ６に出力する。これにより、各走査ライン（表示ライン）間において、同一階調の画像データに対する表示階調輝度が略同一（輝度比が４％以下の範囲）とされる。
【００２５】
強調変換テーブル（ＲＯＭ）４ａ〜４ｄは、同時黒書き込みライン数ｘをたとえば４本とした場合に対応させて設けられている。また、強調変換テーブル（ＲＯＭ）４ａ〜４ｄには、各走査ラインの画像表示期間内において液晶画素が入力画像データの定める透過率に到達可能となるような補正電圧データ（強調変換データ）が格納されている。
【００２６】
ここで、強調変換テーブル（ＲＯＭ）４ａは走査ラインｎ用ＬＵＴ（ルックアップテーブル）であり、強調変換テーブル（ＲＯＭ）４ｂは走査ラインｎ＋１用ＬＵＴ（ルックアップテーブル）であり、強調変換テーブル（ＲＯＭ）４ｃは走査ラインｎ＋２用ＬＵＴ（ルックアップテーブル）であり、強調変換テーブル（ＲＯＭ）４ｄは走査ラインｎ＋３用ＬＵＴ（ルックアップテーブル）である。ただし、ｎ＝１、５、９、１３・・・（ｘ＝４の場合）である。
【００２７】
強調変換テーブル（ＲＯＭ）４ａには、走査ラインｎにおける画像表示期間内に液晶画素が入力画像データの定める透過率となるような補正電圧データが格納されている。強調変換テーブル（ＲＯＭ）４ｂには、走査ラインｎ＋１における画像表示期間内に液晶画素が入力画像データの定める透過率となるような補正電圧データが格納されている。強調変換テーブル（ＲＯＭ）４ｃには、走査ラインｎ＋２における画像表示期間内に液晶画素が入力画像データの定める透過率となる補正電圧データが格納されている。強調変換テーブル（ＲＯＭ）４ｄには、走査ラインｎ＋３における画像表示期間内に液晶画素が入力画像データの定める透過率となるような補正電圧データが格納されている。
【００２８】
なお、各強調変換テーブル（ＲＯＭ）４ａ〜４ｄ内の補正電圧データは、液晶表示パネル７の光学応答特性の実測値から予め得られたものである。また、各強調変換テーブル（ＲＯＭ）４ａ〜４ｄは、画像データが８ビットの２５６階調である場合、２５６の全ての階調に対する補正電圧データを持っていてもよいし、たとえば３２階調の９つの代表階調についての補正電圧データのみを持つようにし、その他の補正電圧データについては上記の実測値から線形補完等の演算によって求めるようにしてもよい。補正電圧データを少なくすれば、各強調変換テーブル（ＲＯＭ）４ａ〜４ｄの容量を小さくできる。
【００２９】
また、強調変換テーブル（ＲＯＭ）４ａ〜４ｄは、同時黒書き込みライン数ｘを４本とした場合に対応させて４個としているが、これに限らず、任意の同時黒書き込みライン数ｘに応じて設けるようにすればよい。すなわち、たとえば同時黒書き込みライン数ｘを３本とした場合は、走査ラインｎ用強調変換テーブル、走査ラインｎ＋１用強調変換テーブル、走査ラインｎ＋２用強調変換テーブルの合計３個のテーブルを切換参照して、各走査ラインに供給される画像データの強調変換を行う構成とすればよい。ただし、この場合、ｎ＝１、４、７、１０・・・である。
【００３０】
また、たとえば同時黒書き込みライン数ｘを５本とした場合は、走査ラインｎ用強調変換テーブル、走査ラインｎ＋１用強調変換テーブル、走査ラインｎ＋２用強調変換テーブル、走査ラインｎ＋３用強調変換テーブル、走査ラインｎ＋４用強調変換テーブルの合計５個のテーブルを切換参照して、各走査ラインに供給される画像データの強調変換を行う構成とすればよい。ただし、この場合、ｎ＝１、６、１１、１６・・・である。よって、同時黒書き込みライン数をｘとした場合、走査ラインｎ用強調変換テーブル、走査ラインｎ＋１用強調変換テーブル、走査ラインｎ＋２用強調変換テーブル、・・・、走査ラインｎ＋（ｘ−１）用強調変換テーブルの合計ｘ個のテーブルを切換参照して、各走査ラインに供給される画像データの強調変換を行う構成とすればよい。ただし、この場合、ｎ＝１、ｘ＋１、２ｘ−１、３ｘ＋１・・・である。
【００３１】
さらに、ここでは、たとえば各走査ラインｎ、ｎ＋１、ｎ＋２、ｎ＋３の全てにおいて同じ表示輝度を実現するように、同時黒書き込みライン数ｘに対応させた個数の強調変換テーブル（ＲＯＭ）を設けているが、必ずしもｘ個のテーブルを備える必要はない。すなわち、その原理からも明らかなとおり、表示輝度差が顕著に現れるのは、第ｎ本目の走査ラインと第ｎ＋（ｘ−１）本目の走査ラインとの間であり、また、隣接する走査ライン間において視聴者に視認される輝度比は４％以上である。従って、少なくともこれらの走査ライン間で同一階調の画像データに対する表示輝度差が視認されない範囲になるように、画像データに対する強調変換を行えばよい。
【００３２】
すなわち、たとえば連続する２本の走査ライン毎に対応したｘ／２個の強調変換テーブルを備えてもよいし、連続する３本の走査ライン毎に対応したｘ／３個の強調変換テーブルを備えた構成としてもよい。このように、連続する複数走査ラインに対して強調変換テーブルを共用する構成とすれば、テーブルメモリの容量を抑制することができる。
【００３３】
また、強調変換テーブル（ＲＯＭ）を、連続する複数走査ラインで共用する場合、強調変換テーブル（ＲＯＭ）から読み出された補正電圧データに対して線形補完等の演算を施すことで、各走査ライン毎の補正電圧データを求めるようにしてもよい。
【００３４】
さらに、たとえば図４に示すように、走査ラインｎ用強調変換テーブル（ＲＯＭ）４のみを備え、この強調変換テーブル（ＲＯＭ）４から読み出された補正電圧データに対して、走査ライン毎に異なる係数α（α≧１）を乗算し、各走査ライン毎の補正電圧データを求めるようにしてもよい。この場合には、減算器３ａによって強調変換テーブル（ＲＯＭ）４から読み出された補正電圧データを入力画像データから減算し、乗算器３ｂによってその減算されたデータに該画像データが書き込まれる走査ラインに応じた係数αを乗算し、加算器３ｃによってその乗算されたデータと入力画像データとを加算することにより、液晶コントローラ６に出力する補正電圧データ（強調変換データ）を得るようにすることができる。
【００３５】
黒データ供給部５は、液晶表示パネル７に黒表示を行わせるための黒データを液晶コントローラ６に供給する。なお、黒データは、液晶コントローラ６内に予め格納しておいてもよい。この場合には、黒データ供給部５を省くことができる。
【００３６】
液晶コントローラ６は、上述した制御ＣＰＵ２の制御により、液晶表示パネル７のゲートドライバ８及びソースドライバ９を、図２に示したように駆動させる。すなわち、ゲートドライバ８は、１フレーム期間（たとえば６０Ｈｚのプログレッシブスキャンの場合は１６．７ｍｓｅｃ）において、図２に示した各走査ラインＧ１、Ｇ２、Ｇ３、Ｇ４、・・・、ＧＮを順次選択して画像データの書き込みを行うとともに、画像データの書き込みからたとえば１／２フレーム期間（＝８．３ｍｓｅｃ）後に、４本の走査ライン毎Ｇ１〜Ｇ４、Ｇ５〜Ｇ８、・・・を同時に選択して黒データの書き込みを行うという一連の動作を、１フレーム周期で行う。ソースドライバ９は、ゲートドライバ８による各走査ラインＧ１、Ｇ２、Ｇ３、Ｇ４、・・・の順次走査に合わせて対応する画像データを出力する。このとき、強調変換部３によって強調変換された強調変換データを用いて画像データの書き込みが行われる。
【００３７】
次に、上述した本実施形態での画像データの強調変換による液晶表示制御方法について説明する。なお、以下の説明においては、画像データが書き込まれる直前の黒表示期間内において、液晶画素が黒（０階調）に到達応答しているものとする。また、説明を簡単にするため、同時黒書き込みライン数ｘを４本とした場合について説明する。
【００３８】
まず、画像データ（ここでは、たとえば６０Ｈｚのプログレッシブデータ）が入力されると、ライン検出部１によって画像データのライン検出が行われる。ここで、走査ラインＧ１に書き込まれる画像データが検出されると、制御ＣＰＵ２により強調変換部３に対して走査ラインｎ用の強調変換テーブル（ＲＯＭ）４ａを選択参照して、該画像データの強調変換処理を施すよう指示される。ここで、強調変換テーブル（ＲＯＭ）４ａには、上述したように、走査ラインＧ１における画像表示期間Ｔ１内で液晶画素が該画像データの定める透過率となるような補正電圧データが格納されており、その補正電圧データが液晶コントローラ６に出力されることで、走査ラインＧ１においては該画像データが定める輝度表示を行うことが可能となる。
【００３９】
次に、ライン検出部１によって走査ラインＧ２に書き込まれる画像データが検出されると、制御ＣＰＵ２により強調変換部３に対して走査ラインｎ＋１用の強調変換テーブル（ＲＯＭ）４ｂを選択参照して、該画像データの強調変換処理を施すよう指示される。ここで、強調変換テーブル（ＲＯＭ）４ｂには、上述したように、走査ラインＧ２における画像表示期間Ｔ２内で液晶画素が該画像データの定める透過率となるような補正電圧データが格納されており、その補正電圧データが液晶コントローラ６に出力されることで、走査ラインＧ２においては該画像データが定める輝度表示を行うことが可能となる。
【００４０】
次に、ライン検出部１によって走査ラインＧ３に書き込まれる画像データが検出されると、制御ＣＰＵ２により強調変換部３に対して走査ラインｎ＋２用の強調変換テーブル（ＲＯＭ）４ｃを選択参照して、該画像データの強調変換処理を施すよう指示される。ここで、強調変換テーブル（ＲＯＭ）４ｃには、上述したように、走査ラインＧ３における画像表示期間Ｔ３内で液晶画素が該画像データの定める液晶画素の透過率となるような補正電圧データが格納されており、その補正電圧データが液晶コントローラ６に出力されることで、走査ラインＧ３においては該画像データが定める輝度表示を行うことが可能となる。
【００４１】
次に、ライン検出部１によって走査ラインＧ４に書き込まれる画像データが検出されると、制御ＣＰＵ２により強調変換部３に対して走査ラインｎ＋３用の強調変換テーブル（ＲＯＭ）４ｄを選択参照して、該画像データの強調変換処理を施すよう指示される。ここで、強調変換テーブル（ＲＯＭ）４ｄには、上述したように、走査ラインＧ４における画像表示期間Ｔ４内で液晶画素が該画像データの定める液晶画素の透過率となるような補正電圧データが格納されており、その補正電圧データが液晶コントローラ６に出力されることで、走査ラインＧ４においては該画像データが定める輝度表示を行うことが可能となる。
【００４２】
このようにして、各走査ラインの画像表示期間に対応した補正電圧データが液晶コントローラ６に出力されることで、１フレーム分の画像表示が行われる。このとき、画像データの書き込みからたとえば１／２フレーム期間（＝８．３ｍｓｅｃ）後に、再度、走査ラインがｘ本毎に同時に選択されて黒データの書き込みが行われるが、各走査ラインの黒データが書き込まれる直前の画像表示期間において、液晶画素が入力画像データに対応した所望の透過率に到達応答することとなるため、各走査ライン間で表示輝度差が生じることなく、輝度ムラのない高品位な画像表示が可能となる。
【００４３】
すなわち、図２に示したように、走査ラインＧ１〜Ｇ４における画像表示期間Ｔ１〜Ｔ４がそれぞれＴ１＞Ｔ２＞Ｔ３＞Ｔ４であっても、各走査ラインＧ１〜Ｇ４における表示輝度が同じになるように、各走査ラインＧ１〜Ｇ４に供給される画像データに対し、それぞれ最適な強調変換を行っているため、走査ライン毎に画像表示期間が異なっても表示輝度の差が生じない。また、ライン検出部１の検出結果に応じ、強調変換部３がそれぞれの走査ラインＧ１〜Ｇ４に対応する強調変換テーブル（ＲＯＭ）４ａ〜４ｄを参照し、各画像表示期間Ｔ１〜Ｔ４に対応した補正電圧データを液晶コントローラ６に出力することで、所望の中間調をそれぞれの走査ラインＧ１〜Ｇ４で表示させることが可能となる。
【００４４】
これにより、たとえば図５に示すように、１フレーム期間の後半１／２フレーム期間（＝８．３ｍｓｅｃ）に黒表示期間を設定し、画像データが書き込まれる直前の黒表示期間において、常に液晶画素が黒（０階調）に到達応答しているものとすると、たとえばあるフレームで６４階調の画像データが入力された場合、強調変換テーブル（ＲＯＭ）４ａ〜４ｄを参照して、所定の画像表示期間内に液晶画素を目標階調（６４階調）に応答させるための７２階調の補正電圧データ（強調変換データ）を液晶表示パネル７に供給することで、６４階調の階調輝度を表示することができる。同様に、次のフレームで９６階調の画像データが入力された場合は、強調変換テーブル（ＲＯＭ）４ａ〜４ｄを参照して、所定の画像表示期間内に液晶画素を目標階調（９６階調）に応答させるための１０８階調の補正電圧データ（強調変換データ）を液晶表示パネル７に供給することで、９６階調の階調輝度を表示することができる。
【００４５】
ここで、同時黒書き込みライン数（同時に黒データを書き込む走査ライン数）ｘ＝Ｎ／４とし（Ｎ＝液晶表示パネルの全走査ライン数）、黒表示期間（＝最大黒表示期間）を１フレーム期間の５０％の期間とした場合について考察する。
【００４６】
すなわち、図６に示すように、最大画像表示期間を有する走査ライン＃１、＃Ｎ／４＋１、＃Ｎ／２＋１、＃３Ｎ／４＋１と、最小画像表示期間を有する走査ライン＃Ｎ／４、＃Ｎ／２、＃３Ｎ／４、＃Ｎとでは、画像データの書き込みタイミングが１／４フレーム期間も相違しており（黒データの書き込みタイミングは同一）、黒データの書き込み時点における液晶画素の応答到達階調がそれぞれの走査ラインで異なることとなる。そこで、たとえば走査ライン＃１、＃Ｎ／４＋１、＃Ｎ／２＋１、＃３Ｎ／４＋１に書き込まれる（供給される）画像データに対しては、画像表示期間（１／２フレーム期間）内で、液晶画素が入力画像データの定める目標到達階調（透過率）に到達応答するような、書き込み画像データ（強調変換データ）が上述した強調変換テーブル（ＲＯＭ）４ａから求められて、後段の液晶コントローラ６に出力される。また、たとえば走査ライン＃Ｎ／４、＃Ｎ／２、＃３Ｎ／４、＃Ｎに書き込まれる（供給される）データに対しては、画像表示期間（１／４フレーム期間）内で、液晶画素が入力画像データの定める目標到達階調（透過率）に到達応答するような、書き込み画像データ（強調変換データ）が上述した強調変換テーブル（ＲＯＭ）４ｄから求められて、後段の液晶コントローラ６に出力される。
【００４７】
この場合、同一階調の画像データであっても、走査ライン＃１、＃Ｎ／４＋１、＃Ｎ／２＋１、＃３Ｎ／４＋１に供給される書き込み画像データ（強調変換データ）に比べて、走査ライン＃Ｎ／４、＃Ｎ／２、＃３Ｎ／４、＃Ｎに書き込まれる書き込み画像データ（強調変換データ）の方が大きくなる（強調変換度合いは大きい）。
【００４８】
これにより、各走査ラインにおける画像表示期間が異なっていても、図７に示すように、各々の画像表示期間内で、液晶画素が入力画像データの定める透過率に応答到達することが可能となり、同一階調の画像データに対する表示階調輝度を略同一（輝度比が４％以下の範囲）にすることができ、図８に示すように、表示画面の垂直方向位置における輝度分布が均一化されることから、表示画像の品位が向上する。
【００４９】
ただし、厳密には、各走査ラインにおける黒データ書き込み直前での液晶透過率を同一にするだけでは、各走査ライン間の表示輝度（液晶透過率の時間積分値）は同一とはならないが、
表示輝度（液晶透過率の時間積分値）＝黒データ書き込み直前での液晶透過率×（画像表示期間＋黒表示期間）／２
により近似することができるので、各走査ラインにおける画像表示期間内で、液晶画素が入力画像データの定める透過率に応答到達するように、入力画像データに対する強調変換処理を制御することにより、各走査ライン（表示ライン）間の表示輝度差を視聴者に視認されない範囲（輝度比４％以下）に抑えることができる。
【００５０】
また、本実施形態では、常に黒表示期間内で必ず液晶画素が黒レベルに応答到達している場合について説明したが、黒表示期間（走査ライン毎で異なる）内で必ずしも液晶画素が黒レベルに応答到達しない場合であっても、本発明を適用することができる。それについては後述する。
【００５１】
このように、本実施形態では、画像データの垂直／水平同期信号に基づいて、その画像データが書き込まれる走査ラインを検出し、各走査ラインの画像表示期間において液晶が画像データの定める透過率に到達するような強調変換データを求めて、液晶表示パネル７に供給するように構成しているので、各走査ライン（表示ライン）間において、同一階調の画像データに対する表示階調輝度を略同一とする（輝度比を４％以内に抑える）ことができ、輝度ムラのない高品位な画像表示を実現することが可能となる。
【００５２】
（実施形態２）  
図９は液晶の温度依存性による応答速度の改善を加味した場合の液晶表示装置の実施形態２を示す図、図１０は図９の温度補償テーブルの一例を示す図である。なお、以下に説明する図において、図１と共通する部分には同一符号を付し重複する説明を省略する。
【００５３】
図９に示す液晶表示装置では、液晶表示パネル７の温度に応じて、ライン検出部１により検出された各走査ラインの画像表示期間内において液晶画素が入力画像データの定める透過率に到達可能となるような温度補償データ（強調変換データ）を用いて、液晶表示パネル７の駆動を行わせるようにしている。なお、その温度補償データ（強調変換データ）は、液晶の温度依存性による応答速度の改善を加味したものであるが、その詳細は後述する。また、液晶の温度依存性を補償するために、温度検出手段としての温度センサ１１からの温度検出データ（検出結果）が用いられる。温度センサ１１は、その本来の目的から液晶表示パネル７内に設けることが望ましいが、これは構造上困難であるため、液晶表示パネル７にできる限り近い場所に設置すればよい。
【００５４】
図９に示す液晶表示装置では、図１の各強調変換テーブル（ＲＯＭ）４ａ〜４ｄに代えて、図１０に示すような温度補償のための温度補償データ（強調変換データ）を有する温度補償テーブル（ＲＯＭ）１０ａ〜１０ｄを設けている。ここで、温度補償テーブル（ＲＯＭ）１０ａは走査ラインｎ用ＬＵＴ（ルックアップテーブル）、温度補償テーブル（ＲＯＭ）１０ｂは走査ラインｎ＋１用ＬＵＴ（ルックアップテーブル）、温度補償テーブル（ＲＯＭ）１０ｃは走査ラインｎ＋２用ＬＵＴ（ルックアップテーブル）、温度補償テーブル（ＲＯＭ）１０ｄは走査ラインｎ＋３用ＬＵＴ（ルックアップテーブル）である。ただし、ｎ＝１、５、９、１３、・・・（ｘ＝４の場合）である。
【００５５】
温度補償テーブル（ＲＯＭ）１０ａには、温度センサ１１からの温度検出データに対応して、走査ラインｎにおける画像表示期間内に液晶画素が入力画像データの定める透過率となるような温度補償データが格納されている。温度補償テーブル（ＲＯＭ）１０ｂには、温度センサ１１からの温度検出データに対応して、走査ラインｎ＋１における画像表示期間内に液晶画素が入力画像データの定める透過率となるような温度補償データが格納されている。温度補償テーブル（ＲＯＭ）１０ｃには、温度センサ１１からの温度検出データに対応して、走査ラインｎ＋２における画像表示期間内に液晶画素が入力画像データの定める透過率となるような温度補償データが格納されている。温度補償テーブル（ＲＯＭ）１０ｄには、温度センサ１１からの温度検出データに対応して、走査ラインｎ＋３における画像表示期間内に液晶画素が入力画像データの定める透過率となるような温度補償データが格納されている。
【００５６】
また、各温度補償テーブル１０ａ〜１０ｄには、図１０に示すように、温度センサ１１による検出温度がＴ１〜Ｔ２のときに参照するテーブル領域、Ｔ２〜Ｔ３のときに参照するテーブル領域、Ｔ３〜Ｔ４のときに参照するテーブル領域、Ｔ４〜Ｔ５のときに参照するテーブル領域のそれぞれを有している。また、これらのテーブル領域は、温度センサ１１の温度検出データ（検出結果）を受けた制御ＣＰＵ２により切換選択される。また、これらのテーブル領域は、別テーブルメモリとして備え、温度センサ１１による検出温度によって切換参照するようにしてもよい。
【００５７】
なお、各温度補償テーブル（ＲＯＭ）１０ａ〜１０ｄ内の温度補償データは、上記同様に、各温度条件下における液晶表示パネル７の光学応答特性の実測値から予め得られたものである。また、各温度補償テーブル（ＲＯＭ）１０ａ〜１０ｄは、画像データが８ビットの２５６階調である場合、上記同様に、２５６の全ての階調に対する温度補償データを持っていてもよいし、たとえば３２階調の９つの代表階調についての温度補償データのみを持つようにし、その他の温度補償データについては上記の実測値から線形補完等の演算によって求めるようにしてもよい。温度補償データを少なくすれば、各温度補償テーブル（ＲＯＭ）１０ａ〜１０ｄの容量を小さくできる。
【００５８】
また、各温度補償テーブル（ＲＯＭ）１０ａ〜１０ｄは、同時黒書き込みライン数ｘを４本とした場合に対応させて４個としているが、これに限らず、上記同様に、任意の同時黒書き込みライン数ｘに応じて設けるようにすればよい。また、温度補償テーブル（ＲＯＭ）を、上記同様に、連続する複数走査ラインで共用するようにしてもよい。この場合、温度補償テーブル（ＲＯＭ）から読み出された温度補償データに対して線形補完等の演算を施すことで、各走査ライン毎の温度補償データを求めるようにしてもよい。
【００５９】
このような構成では、上述したように、画像データが書き込まれる直前の黒表示期間内において、液晶画素が黒（０階調）に到達応答しているものとし、同時黒書き込みライン数ｘを４本とすると、ライン検出部１によって画像データ（ここでは、たとえば６０Ｈｚのプログレッシブデータ）のライン検出が行われる。ここで、走査ラインＧ１に書き込まれる画像データが検出され、さらに温度センサ１１からの温度検出データが得られると、制御ＣＰＵ２により強調変換部３に対して走査ラインｎ用の温度補償テーブル（ＲＯＭ）１０ａを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。
【００６０】
ここで、温度補償テーブル（ＲＯＭ）１０ａには、各温度条件毎に走査ラインＧ１における画像表示期間Ｔ１内で液晶画素が画像データが定める透過率となるような温度補償データが格納されており、その温度補償データが液晶コントローラ６に出力されることで、どのような使用環境温度であっても走査ラインＧ１において入力画像データが定める輝度表示を行うことが可能となっている。
【００６１】
同様にして、走査ラインＧ２に書き込まれる画像データが検出され、さらに温度センサ１１からの温度検出データが得られると、走査ラインｎ＋１用の温度補償テーブル（ＲＯＭ）１０ｂを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ２において入力画像データが定める輝度表示を行うことが可能となっている。
【００６２】
同様にして、走査ラインＧ３に書き込まれる画像データが検出され、さらに温度センサ１１からの温度検出データが得られると、走査ラインｎ＋２用の温度補償テーブル（ＲＯＭ）１０ｃを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ３においては入力画像データが定める輝度表示を行うことが可能となっている。
【００６３】
同様にして、走査ラインＧ４に書き込まれる画像データが検出され、さらに温度センサ１１からの温度検出データが得られると、走査ラインｎ＋３用の温度補償テーブル（ＲＯＭ）１０ｄを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ４において入力画像データが定める輝度表示を行うことが可能となっている。
【００６４】
このようにして、各走査ラインに対応した温度補償データが液晶コントローラ６に出力されることで、１フレーム分の画像表示が行われる。このとき、画像データの書き込みからたとえば１／２フレーム期間（＝８．３ｍｓｅｃ）後に、再度、走査ラインがｘ本毎に同時に選択されて黒データの書き込みが行われるが、各走査ラインの黒データが書き込まれる直前の画像表示期間においては、液晶画素が温度センサ１１による検出温度に応じて画像データに対応した所望の透過率に到達応答することとなるため、各走査ライン間で表示輝度差が生じることなく、輝度ムラのない高品位な画像表示が可能となる。
【００６５】
また、図６〜図８で説明したように、走査ライン＃１、＃Ｎ／４＋１、＃Ｎ／２＋１、＃３Ｎ／４＋１に書き込まれる（供給される）画像データに対しては、画像表示期間（１／２フレーム期間）内で、液晶画素が入力画像データの定める目標到達階調（透過率）に到達応答するような書き込み画像データ（強調変換データ）が上述した温度補償テーブル（ＲＯＭ）１０ａから求められて、後段の液晶コントローラ６に出力される。また、走査ライン＃Ｎ／４、＃Ｎ／２、＃３Ｎ／４、＃Ｎに書き込まれる（供給される）画像データに対しては、画像表示期間（１／４フレーム期間）内で、液晶画素が入力画像データの定める目標到達階調（透過率）に到達応答するような書き込み画像データ（強調変換データ）が上述した温度補償テーブル（ＲＯＭ）１０ｄから求められて、後段の液晶コントローラ６に出力される。
【００６６】
この場合、上述したように、同一階調の入力画像データに対して、走査ライン＃１、＃Ｎ／４＋１、＃Ｎ／２＋１、＃３Ｎ／４＋１に供給される書き込み画像データ（強調変換データ）に比べ、走査ライン＃Ｎ／４、＃Ｎ／２、＃３Ｎ／４、＃Ｎに書き込まれる書き込み画像データ（強調変換データ）の方が大きくなる（強調変換度合いは大きい）ことから、上記同様に、各走査ライン（表示ライン）間において同一階調の画像データに対する表示階調輝度を略同一（輝度比が４％以下の範囲）とすることができる。
【００６７】
このように、本実施形態では、温度補償テーブル（ＲＯＭ）１０ａ〜１０ｄの温度補償データ（強調変換データ）を用いて画像データの強調変換を行うようにしたので、上述した作用効果に加え、液晶の温度依存性による応答速度の改善を併せて実現することが可能となる。
【００６８】
（実施形態３）
図１１は画像データが書き込まれる直前の黒表示期間において、液晶画素が黒（０階調）に到達応答していない場合について改善した液晶表示装置の実施形態３を示す図、図１２は図１１の到達階調予測テーブルの一例を示す図、図１３は図１１の温度補償テーブルの一例を示す図、図１４は図１１の強調変換部による強調変換データによる液晶画素の応答波形を説明するための図である。
【００６９】
図１１に示す液晶表示装置は、図９に示した液晶表示装置の構成に、フレームメモリ（ＦＭ）１２、到達階調予測部１３、到達階調予測テーブル（ＲＯＭ）１４ａ〜１４ｄを追加している。また、図９の温度補償テーブル（ＲＯＭ）１０ａ〜１０ｄに代えて温度補償テーブル（ＲＯＭ）１５ａ〜１５ｄを設けている。
【００７０】
フレーム格納手段としてのフレームメモリ（ＦＭ）１２は、１フレーム分の画像データを格納することができるものであって、これから表示される画像データに対し、１フレーム前の画像データが格納されている。
【００７１】
到達階調予測部１３は、制御ＣＰＵ２を介して得られる温度センサ１１からの温度検出データと、フレームメモリ（ＦＭ）１２に格納されている１フレーム前の画像データとを基に、到達階調予測テーブル（ＲＯＭ）１４ａ〜１４ｄを参照し、各走査ラインの黒表示期間における到達階調レベルを走査ライン毎に予測し、その予測した到達階調レベルを強調変換部３に与えるものである。
【００７２】
すなわち、図１４に示すように、１フレーム前の画像データに対応した、たとえば表示階調が６４階調から黒（０階調）に相当する電圧を液晶画素に印加しても、液晶表示パネル７の光学応答特性により、１フレーム期間の後半５０％の黒表示期間内ではたとえば１６階調までしか到達しないことがある。また、同様に、たとえば表示階調が９６階調から黒（０階調）に相当する電圧を液晶画素に印加しても、液晶表示パネル７の光学応答特性により、１フレーム期間の後半５０％の黒表示期間内ではたとえば８階調までしか到達しないことがある。
【００７３】
この場合、黒表示期間で黒（０階調）レベルが未到達であるにも関わらず、次のフレームの画像表示が行われるとき、スタート階調（遷移前階調）を０階調として強調変換が行われると、目標到達階調に対する実際の表示階調輝度に誤差が生じてしまい、このような誤差がなし崩し的に拡大していく可能性がある。そのため、本実施形態では、画像表示期間内で正確に液晶を目標階調輝度に到達応答させるように、直前の黒表示期間内での到達階調レベル（黒に未到達の階調レベル）を予測し、これをスタート階調（遷移前階調）として、画像データの強調変換を行うようにしている。
【００７４】
到達階調予測テーブル（ＲＯＭ）１４ａは走査ラインｎ用ＬＵＴ（ルックアップテーブル）、到達階調予測テーブル（ＲＯＭ）１４ｂは走査ラインｎ＋１用ＬＵＴ（ルックアップテーブル）、到達階調予測テーブル（ＲＯＭ）１４ｃは走査ラインｎ＋２用ＬＵＴ（ルックアップテーブル）、到達階調予測テーブル（ＲＯＭ）１４ｄは走査ラインｎ＋３用ＬＵＴ（ルックアップテーブル）である。ただし、ｎ＝１、５、９、１３・・・（ｘ＝４の場合）である。
【００７５】
到達階調予測テーブル（ＲＯＭ）１４ａには、温度センサ１１からの温度検出データに対応して、走査ラインｎにおいて、１フレーム前の画像データの階調から黒（０階調）に相当する電圧を液晶画素に印加したときの到達階調レベル（黒（０階調）への未到達レベル）を予測する予測データが格納されている。到達階調予測テーブル（ＲＯＭ）１４ｂには、温度センサ１１からの温度検出データに対応して、走査ラインｎ＋１において、１フレーム前の画像データの階調から黒（０階調）に相当する電圧を液晶画素に印加したときの到達階調レベル（黒（０階調）への未到達レベル）を予測する予測データが格納されている。
【００７６】
到達階調予測テーブル（ＲＯＭ）１４ｃには、温度センサ１１からの温度検出データに対応して、走査ラインｎ＋２において、１フレーム前の画像データの階調から黒（０階調）に相当する電圧を液晶画素に印加したときの到達階調レベル（黒（０階調）への未到達レベル）を予測する予測データが格納されている。到達階調予測テーブル（ＲＯＭ）１４ｄには、温度センサ１１からの温度検出データに対応して、走査ラインｎ＋３において、１フレーム前の画像データの階調から黒（０階調）に相当する電圧を液晶画素に印加したときの到達階調レベル（黒（０階調）への未到達レベル）を予測する予測データが格納されている。
【００７７】
図１２は、各到達階調予測テーブル（ＲＯＭ）１４ａ〜１４ｄの一例を示すものであり、上記同様に、温度センサ１１による検出温度がＴ１〜Ｔ２のときに参照するテーブル領域、Ｔ２〜Ｔ３のときに参照するテーブル領域、Ｔ３〜Ｔ４のときに参照するテーブル領域、Ｔ４〜Ｔ５のときに参照するテーブル領域のそれぞれを有している。また、これらのテーブル領域は、上記同様に、温度センサ１１の温度検出データを受けた制御ＣＰＵ２により切換選択される。また、これらのテーブル領域は、上記同様に、別テーブルメモリとして備え、温度センサ１１による検出温度によって切換参照するようにしてもよい。
【００７８】
なお、各到達階調予測テーブル（ＲＯＭ）１４ａ〜１４ｄ内の予測データは、上記同様に、液晶表示パネル７の光学応答特性の実測値から予め得られたものである。また、各到達階調予測テーブル（ＲＯＭ）１４ａ〜１４ｄは、画像データが８ビットの２５６階調である場合、上記同様に、２５６の全ての階調に対する温度補償データを持っていてもよいし、たとえば３２階調の９つの代表階調についての温度補償データのみを持つようにし、その他の温度補償データについては上記の実測値から線形補完等の演算によって求めるようにしてもよい。温度補償データを少なくすれば、各到達階調予測テーブル（ＲＯＭ）１４ａ〜１４ｄの容量を小さくできる。
【００７９】
また、各到達階調予測テーブル（ＲＯＭ）１４ａ〜１４ｄは、同時黒書き込みライン数ｘを４本とした場合に対応させて４個としているが、これに限らず、上記同様に、任意の同時黒書き込みライン数ｘに応じて設けるようにすればよい。また、各到達階調予測テーブル（ＲＯＭ）１４ａ〜１４ｄを、上記同様に、連続する複数走査ラインで共用するようにしてもよい。この場合、到達階調予測テーブル（ＲＯＭ）から読み出された予測データに対して線形補完等の演算を施すことで、各走査ライン毎の予測データを求めるようにしてもよい。
【００８０】
温度補償テーブル（ＲＯＭ）１５ａは走査ラインｎ用ＬＵＴ（ルックアップテーブル）、温度補償テーブル（ＲＯＭ）１５ｂは走査ラインｎ＋１用ＬＵＴ（ルックアップテーブル）、温度補償テーブル（ＲＯＭ）１５ｃは走査ラインｎ＋２用ＬＵＴ（ルックアップテーブル）、温度補償テーブル（ＲＯＭ）１５ｄは走査ラインｎ＋３用ＬＵＴ（ルックアップテーブル）である。ただし、ｎ＝１、５、９、１３、・・・（ｘ＝４の場合）である。
【００８１】
温度補償テーブル（ＲＯＭ）１５ａには、温度センサ１１からの温度検出データと到達階調予測部１３からの到達階調レベルと現フレームの入力画像データの階調レベルとを基に、走査ラインｎにおける画像表示期間内に液晶画素が入力画像データの定める透過率となるような温度補償データが格納されている。強調変換用テーブル（ＲＯＭ）１５ｂには、温度センサ１１からの温度検出データと到達階調予測部１３からの到達階調レベルと現フレームの入力画像データの階調レベルとから特定される、走査ラインｎ＋１における画像表示期間内に液晶画素が入力画像データの定める透過率となるような温度補償データが格納されている。
【００８２】
強調変換テーブル（ＲＯＭ）１５ｃには、温度センサ１１からの温度検出データと到達階調予測部１３からの到達階調レベルと現フレームの入力画像データの階調レベルとから特定される、走査ラインｎ＋２における画像表示期間内に液晶画素が入力画像データの定める透過率となるような温度補償データが格納されている。強調変換テーブル（ＲＯＭ）１５ｄには、温度センサ１１からの温度検出データと到達階調予測部１３からの到達階調レベルと現フレームの入力画像データの階調レベルとから特定される、走査ラインｎ＋３における画像表示期間内に液晶画素が入力画像データの定める透過率となるような温度補償データが格納されている。
【００８３】
図１３は、各温度補償テーブル（ＲＯＭ）１５ａ〜１５ｄの一例を示すものであり、上記同様に、温度センサ１１による検出温度がＴ１〜Ｔ２のときに参照するテーブル領域、Ｔ２〜Ｔ３のときに参照するテーブル領域、Ｔ３〜Ｔ４のときに参照するテーブル領域、Ｔ４〜Ｔ５のときに参照するテーブル領域のそれぞれを有している。また、それぞれのテーブル領域の温度補償データは、到達階調予測部１３からの到達階調レベル（予測データ）と現フレームの入力画像データとから求められる、各走査ラインにおける画像表示期間内で液晶画素が画像データの定める透過率となるようなデータである。
【００８４】
また、これらのテーブル領域は、上記同様に、温度センサ１１の温度検出データを受けた制御ＣＰＵ２により切換選択される。また、これらのテーブル領域は、上記同様に、別テーブルメモリとして備え、温度センサ１１による検出温度によって切換参照するようにしてもよい。
【００８５】
なお、各温度補償テーブル（ＲＯＭ）１５ａ〜１５ｄ内の温度補償データ（強調変換データ）は、上記同様に、液晶表示パネル７の光学応答特性の実測値から予め得られたものである。また、各温度補償テーブル（ＲＯＭ）１５ａ〜１５ｄは、画像データが８ビットの２５６階調である場合、上記同様に、２５６の全ての階調に対する温度補償データを持っていてもよいし、たとえば３２階調の９つの代表階調についての温度補償データのみを持つようにし、その他の温度補償データについては上記の実測値から線形補完等の演算によって求めるようにしてもよい。温度補償データを少なくすれば、各温度補償テーブル（ＲＯＭ）１５ａ〜１５ｄの容量を小さくできる。
【００８６】
また、各温度補償テーブル（ＲＯＭ）１５ａ〜１５ｄは、同時黒書き込みライン数ｘを４本とした場合に対応させて４個としているが、これに限らず、上記同様に、任意の同時黒書き込みライン数ｘに応じて設けるようにすればよい。また、各温度補償テーブル（ＲＯＭ）１５ａ〜１５ｄを、上記同様に、連続する複数走査ライン間で共用するようにしてもよい。この場合、温度補償テーブル（ＲＯＭ）から読み出された温度補償データに対して線形補完等の演算を施すことで、各走査ライン毎の温度補償データを求めるようにしてもよい。
【００８７】
このような構成では、上記同様に、同時黒書き込みライン数ｘを４本とした場合、フレームメモリ（ＦＭ）１２に１フレーム前の画像データ（ここでは、たとえば６０Ｈｚのプログレッシブデータ）が格納されると、到達階調予測部１３によりその１フレーム前の画像表示期間に続く黒表示期間における到達階調レベルが走査ライン毎に予測される。この場合、ライン検出部１で走査ラインｎに書き込まれるべき画像データであることが検出されると、制御ＣＰＵ２により到達階調予測部１３に対して走査ラインｎ用の到達階調予測テーブル（ＲＯＭ）１４ａを選択参照して、直前の黒表示期間における到達階調レベルを出力するよう指示される。
【００８８】
このとき、到達階調予測部１３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。
【００８９】
ここで、到達階調予測テーブル（ＲＯＭ）１４ａには、温度センサ１１からの温度検出データに対応して、走査ラインｎにおいて、１フレーム前の画像データの表示階調から黒（０階調）に相当する電圧を液晶画素に印加したときの到達階調レベル（黒（０階調）への未到達レベル）を予測する予測データが格納されているため、制御ＣＰＵ２を介して得られる温度センサ１１からの温度検出データと、フレームメモリ（ＦＭ）１２に格納されている１フレーム前の画像データとを基に、到達階調予測テーブル（ＲＯＭ）１４ａを参照し、黒表示期間における到達階調レベル（予測データ）を予測し、その予測した到達階調レベルを強調変換部３に与える。
【００９０】
同様にして、ライン検出部１で走査ラインｎ＋１に書き込まれるべき画像データであることが検出されると、制御ＣＰＵ２により到達階調予測部１３に対して走査ラインｎ＋１用の到達階調予測テーブル（ＲＯＭ）１４ｂを選択参照して、該画像データの到達階調レベルを予測するよう指示される。到達階調予測部１３が制御ＣＰＵ２を介して得られる温度センサ１１からの温度検出データと、フレームメモリ（ＦＭ）１２に格納されている１フレーム前の画像データとを基に、到達階調予測テーブル（ＲＯＭ）１４ｂを参照し、黒表示期間における到達階調レベル（予測データ）を予測し、その予測した到達階調レベルを強調変換部３に与える。
【００９１】
同様にして、ライン検出部１で走査ラインｎ＋２に書き込まれるべき画像データであることが検出されると、制御ＣＰＵ２により到達階調予測部１３に対して走査ラインｎ＋２用の到達階調予測テーブル（ＲＯＭ）１４ｃを選択参照して、該画像データの到達階調レベルを予測するよう指示される。到達階調予測部１３が制御ＣＰＵ２を介して得られる温度センサ１１からの温度検出データと、フレームメモリ（ＦＭ）１２に格納されている１フレーム前の画像データとを基に、到達階調予測テーブル（ＲＯＭ）１４ｃを参照し、黒表示期間における到達階調レベル（予測データ）を予測し、その予測した到達階調レベルを強調変換部３に与える。
【００９２】
同様にして、ライン検出部１で走査ラインｎ＋３に書き込まれるべき画像データであることが検出されると、制御ＣＰＵ２により到達階調予測部１３に対して走査ラインｎ＋３用の到達階調予測テーブル（ＲＯＭ）１４ｄを選択参照して、該画像データの到達階調レベルを予測するよう指示される。到達階調予測部１３が制御ＣＰＵ２を介して得られる温度センサ１１からの温度検出データと、フレームメモリ（ＦＭ）１２に格納されている１フレーム前の画像データとを基に、到達階調予測テーブル（ＲＯＭ）１４ｄを参照し、黒表示期間における到達階調レベル（予測データ）を予測し、その予測した到達階調レベルを強調変換部３に与える。
【００９３】
このとき、上記同様に、ライン検出部１によって画像データ（ここでは、たとえば６０Ｈｚのプログレッシブデータ）のライン検出が行われ、走査ラインＧ１に書き込まれる画像データが検出され、さらに温度センサ１１からの温度検出データと到達階調予測部１３からの到達階調レベルとが得られると、制御ＣＰＵ２により強調変換部３に対して走査ラインｎ用の温度補償テーブル（ＲＯＭ）１５ａを選択参照して、該画像データの強調変換処理を施すよう指示される。またこのとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。
【００９４】
ここで、温度補償テーブル（ＲＯＭ）１５ａには、温度センサ１１からの温度検出データと到達階調予測部１３からの到達階調レベルをスタート階調（遷移前階調）として、走査ラインｎにおける画像表示期間内に液晶画素が現フレームの画像データの定める透過率となるような温度補償データが格納されており、その温度補償データが液晶コントローラ６に出力されることで、どのような使用環境温度であっても走査ラインＧ１において入力画像データが定める輝度表示を行うことが可能となる。
【００９５】
同様にして、走査ラインＧ２に書き込まれる画像データが検出され、さらに温度センサ１１からの温度検出データが得られると、走査ラインｎ＋１用の温度補償テーブル（ＲＯＭ）１５ｂを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ２において入力画像データが定める輝度表示を行うことが可能となる。
【００９６】
同様にして、走査ラインＧ３に書き込まれる画像データが検出され、さらに温度センサ１１からの温度検出データが得られると、走査ラインｎ＋２用の温度補償テーブル（ＲＯＭ）１５ｃを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ３において入力画像データが定める輝度表示を行うことが可能となる。
【００９７】
同様にして、走査ラインＧ４に書き込まれる画像データが検出され、さらに温度センサ１１からの温度検出データが得られると、走査ラインｎ＋３用の温度補償テーブル（ＲＯＭ）１５ｄを選択参照して、該画像データの強調変換処理を施すよう指示される。このとき、強調変換部３は、温度センサ１１による検出温度がたとえばＴ１〜Ｔ２のとき、そのＴ１〜Ｔ２のテーブル領域を参照するよう指示される。温度センサ１１による検出温度がＴ２〜Ｔ３、Ｔ３〜Ｔ４、Ｔ４〜Ｔ５のときも同様にして指示される。そして、その温度補償データが液晶コントローラ６に出力されることで、どのような使用環境温度であっても走査ラインＧ４において入力画像データが定める輝度表示を行うことが可能となる。
【００９８】
このようにして、各走査ラインにおける直前の黒表示期間内での到達階調レベルと現フレームの入力画像データと温度センサ１１による検出温度とに応じた温度補償データが液晶コントローラ６に出力されることで、１フレーム分の画像表示が行われる。このとき、画像データの書き込みからたとえば１／２フレーム期間（＝８．３ｍｓｅｃ）後に、再度、走査ラインがｘ本毎に同時に選択されて黒データの書き込みが行われるが、各走査ラインの黒データが書き込まれる直前の画像表示期間においては、液晶が温度センサ１１による検出温度に応じて画像データに対応した所望の透過率に到達応答することとなるため、各走査ライン間で表示輝度差が生じることなく、輝度ムラのない高品位な画像表示が可能となる。
【００９９】
また、図６〜図８で説明したように、走査ライン＃１、＃Ｎ／４＋１、＃Ｎ／２＋１、＃３Ｎ／４＋１に書き込まれる（供給される）画像データに対しては、画像表示期間（１／２フレーム期間）内で、液晶画素が入力画像データの定める目標到達階調（透過率）に到達応答するような書き込み画像データ（強調変換データ）が上述した温度補償テーブル（ＲＯＭ）１０ａから求められて、後段の液晶コントローラ６に出力される。また、走査ライン＃Ｎ／４、＃Ｎ／２、＃３Ｎ／４、＃Ｎに書き込まれる（供給される）画像データに対しては、画像表示期間（１／４フレーム期間）内で、液晶画素が入力画像データの定める目標到達階調（透過率）に到達応答するような書き込み画像データ（強調変換データ）が上述した温度補償テーブル（ＲＯＭ）１０ｄから求められて、後段の液晶コントローラ６に出力される。
【０１００】
この場合、上述したように、同一階調の入力画像データに対して、走査ライン＃１、＃Ｎ／４＋１、＃Ｎ／２＋１、＃３Ｎ／４＋１に供給される書き込み画像データ（強調変換データ）に比べ、走査ライン＃Ｎ／４、＃Ｎ／２、＃３Ｎ／４、＃Ｎに書き込まれる書き込み画像データ（強調変換データ）の方が大きくなる（強調変換度合いは大きい）ことから、上記同様に、各走査ライン（表示ライン）間において同一階調の画像データに対する表示階調輝度を略同一（輝度比が４％以下の範囲）とすることができる。
【０１０１】
このように、本実施形態では、到達階調予測部１３により、温度センサ１１からの温度検出データと、フレームメモリ（ＦＭ）１２に格納されている１フレーム前の画像データとを基に、到達階調予測テーブル（ＲＯＭ）１４ａ〜１４ｄが参照され、各走査ラインの黒表示期間における到達階調レベル（予測データ）が走査ライン毎に予測される。この到達階調予測部１３からの到達階調レベルと温度センサ１１からの温度検出データとを用いて、強調変換部３により、温度補償テーブル（ＲＯＭ）１５ａ〜１５ｄを参照して、それぞれの走査ラインにおける画像表示期間内に液晶画素が入力画像データの定める透過率となるような温度補償データが液晶コントローラ６に出力されるようにしたので、上述した作用効果に加え、各走査ラインの黒表示期間内に黒（０階調）レベルに到達応答ができない場合であっても、その未到達階調レベルを予測し、これを用いて現フレームの画像データに対する強調変換を行っているため、表示輝度の誤差の発生を抑えて、高品位の画像表示を実現することができる。
【産業上の利用可能性】
【０１０２】
ホールド型表示装置であればよく、たとえばマイクロレンズアレイ構造を用いた電気泳動ディスプレイにも適用可能である。また、平面パネル型の液晶表示パネル７を搭載している機器であればよく、パーソナルコンピュータ、テレビ受信機等の身近な機器に限らず、計測機器、医療機器、産業機器全般等にも適用可能である。
【図面の簡単な説明】
【０１０３】
【図１】本発明の液晶表示装置の実施形態１を説明するための図である。
【図２】図１の液晶表示装置における画像データ及び黒データの書き込みタイミングを示すタイミングチャートである。
【図３】図１の液晶表示装置における画像データ及び黒データの書き込みタイミングを示す説明図である。
【図４】図１の強調変換テーブル（ＲＯＭ）を単一とし、その強調変換テーブル（ＲＯＭ）を参照して得られる補正電圧データから各走査ライン毎の補正電圧データを求める場合の構成例を説明するための図である。
【図５】図１の強調変換部の強調変換データによる液晶画素の応答波形を説明するための図である。
【図６】図１の液晶表示装置における画像データ及び黒データの書き込みタイミングを説明するための図である。
【図７】図１の強調変換部の強調変換データにより各走査ライン（表示ライン）間において同一階調の画像データに対する表示輝度が略同一（輝度比が４％以下の範囲）とされることを説明するための液晶画素の応答波形を示す図である。
【図８】図１の強調変換部の強調変換データにより各走査ライン（表示ライン）間において同一階調の画像データに対する表示輝度が略同一（輝度比が４％以下の範囲）とされることを説明するための画面輝度分布を示す図である。
【図９】液晶画素の温度依存性による応答速度の改善を加味した場合の液晶表示装置の実施形態２を示す図である。
【図１０】図９の温度補償テーブルの一例を示す図である。
【図１１】画像データが書き込まれる直前の黒表示において、液晶画素が黒（０階調）に到達応答していない場合について改善した液晶表示装置の実施形態３を示す図である。
【図１２】図１１の到達階調予測テーブルの一例を示す図である。
【図１３】図１１の温度補償テーブルの一例を示す図である。
【図１４】図１１の強調変換部の強調変換データによる液晶画素の応答波形を説明するための図である。
【図１５】従来の動画像の表示における動きボケの低減方法の一例を示す図である。
【図１６】従来の動画像の表示における動きボケの低減方法の他の例を示す図である。
【図１７】従来の液晶表示装置における画像データ及び黒データの書き込みタイミングを説明するための図である。
【図１８】従来の黒データの書き込み時点における液晶画素の応答到達階調がそれぞれの走査ラインで異なることによる表示輝度の差を説明するための液晶画素の応答波形を示す図である。
【図１９】従来の黒データの書き込み時点における液晶画素の応答到達階調がそれぞれの走査ラインで異なることによる表示輝度の差を説明するための画面輝度分布を示す図である。
【符号の説明】
【０１０４】
１  ライン検出部（ライン検出手段）
２  制御ＣＰＵ
３  強調変換部（強調変換手段）
４ａ〜４ｄ  強調変換テーブル（ＲＯＭ）
５  黒データ供給部
６  液晶コントローラ（表示制御手段）
７  液晶表示パネル
１０ａ〜１０ｄ  温度補償テーブル（ＲＯＭ）
１２  フレームメモリ（ＦＭ：フレーム格納手段）
１３  到達階調予測部（到達階調予測手段）
１４ａ〜１４ｄ  到達階調予測テーブル（ＲＯＭ）
１５ａ〜１５ｄ  温度補償テーブル（ＲＯＭ）
Ｇ１〜ＧＮ  走査ライン
【図１】
2005121802.tif 000003
【図２】
2005121802.tif 000004
【図３】
2005121802.tif 000005
【図４】
2005121802.tif 000006
【図５】
2005121802.tif 000007
【図６】
2005121802.tif 000008
【図７】
2005121802.tif 000009
【図８】
2005121802.tif 000010
【図９】
2005121802.tif 000011
【図１０】
2005121802.tif 000012
【図１１】
2005121802.tif 000013
【図１２】
2005121802.tif 000014
【図１３】
2005121802.tif 000015
【図１４】
2005121802.tif 000016
【図１５】
2005121802.tif 000017
【図１６】
2005121802.tif 000018
【図１７】
2005121802.tif 000019
【図１８】
2005121802.tif 000020
【図１９】
2005121802.tif 000021